(57)【要約】ＤＶＢ−Ｔ受信機の極力最適な使用が可能となる改良された拡張装置を提供する。改良されたＤＶＢ−Ｔ受信機用拡張装置は、中継器(9)内に備えられ又は中継器(9)に関連付けられ又はそれに接続可能なアンテナ装置(13)を介して、受信し及び／又は供給するデジタル化された信号を変換せずに発射可能であり又は発射される室内中継器(9)を備えることを特徴とする。【選択図】図１
2004528778.tif 000002
【特許請求の範囲】
【請求項１】
中継器(9)内に備えられ又は中継器(9)に関連付けられ又はそれに接続可能なアンテナ装置(13)を介して受信し及び／又は供給するデジタル化された信号を変換せずに放射可能であり又は放射する室内中継器(9)を備えることを特徴とするＤＶＢ−Ｔ受信機用拡張装置。
【請求項２】
中継器(9)は、受動的に動作する請求項１に記載の拡張装置。
【請求項３】
中継器(9)は、補強した放射を発生させながら能動的に動作する請求項１に記載の拡張装置。
【請求項４】
中継器(9)は、同軸インターフェース、特にアンテナ接続コンセント(11)に接続できる請求項１〜３の何れか１項に記載の拡張装置。
【請求項５】
中継器(9)は、アンテナ接続ケーブル、特に同軸ケーブルに接続可能であり又は接続される請求項１〜３の何れか１項に記載の拡張装置。
【請求項６】
中継器(9)は、床下に収納可能であり又は配置される請求項１〜５の何れか１項に記載の拡張装置。
【請求項７】
中継器(9)は、床上で接続可能である請求項１〜５の何れか１項に記載の拡張装置。
【請求項８】
中継器(9)は、取り付けモジュールとして、特にアンテナコンセント(11)に又は挿入モジュールとしてアンテナ側の同軸ケーブルに接続可能である請求項１〜７の何れか１項に記載の拡張装置。
【発明の詳細な説明】
【技術分野】
【０００１】
本発明は、請求項１の前文による受信機、特にＤＶＢ−Ｔ受信機用拡張装置に関するものである。
【背景技術】
【０００２】
公知のように、ＤＶＢ−Ｔ受信機では、地上で発射されるデジタル化テレビジョン番組放送を受信する受信機又はＤＶＢＴデジタルテレビジョン受像機（ＩＤＴＶ）が重要である（Ｄ＝digital（デジタル），Ｖ＝video（ビデオ），Ｂ＝broadcasting（放送），Ｔ＝terrestrisch（地上の））。
【０００３】
受信機の所望の設置場所によっては、前記受信装置でも室内の他の場所よりも受信状態が必ずしも良くないことがあり得る。
【０００４】
従って、下記特許文献１は、特に地上で発射されるデジタル化テレビジョン番組放送を受信するＤＶＢ−Ｔ受信機にアンテナ接続ケーブルを備えたアンテナスタンド装置から成る拡張装置を設けることを既に提案している。この拡張装置は、従来のＤＶＢ−Ｔ受信機に接続でき、受信機に取り付けられたアンテナをこれから取り外し、拡張装置に接続できる。従って、新たなアンテナの購入は不要である。これにより、特にＤＶＢ−Ｔ受信機が配置された場所より他の設置場所でのアンテナスタンド装置の自由な配置が可能である。特にＤＶＢ−Ｔ受信機が受信に関してあまり適切でない場所に配置する場合に、前記従来技術では、より適切な場所にアンテナを設置する可能性が開かれる。
【０００５】
【特許文献１】
ドイツ公開特許公報第２９９１４０４８.２号
【発明の開示】
【発明が解決しようとする課題】
【０００６】
本発明の課題は、前記構成の従来技術から出発して、ＤＶＢ−Ｔ受信機の極力最適な使用を可能にする更なる改良を提供することにある。
【課題を解決するための手段】
【０００７】
本発明では、請求項１に記載する特徴部分によりこの課題を解決する。本発明の有利な実施の形態を他の請求項に記載する。
【発明の効果】
【０００８】
本発明は、ＤＶＢ−Ｔ受信機に利用される変調方法である直交波周波数分割多重方式（ＯＦＤＭ、Orthogonal Frequency Division Multiplexing）が多重路伝搬可能である知識を利用する。これは、能動的又は受動的な室内中継器（レピータ）を設けることができる。好ましくは取り付けモジュールとしてアンテナコンセントにこれを接続できる。能動的な室内中継器の場合にのみ、一般に−例外であるが−再充電可能な蓄電池（蓄電バッテリ）を備えないネット接続を介してこれを使用することができる。
【０００９】
しかしながら、また、従来の適切な位置に位置するＤＶＢ−Ｔ受信機用受信アンテナにより備えられる同軸ケーブルにも本発明による室内中継器を直接接続できる。
【００１０】
最後に、床下にも室内中継器を配置できる。
【００１１】
本発明による中継器は、信号の変換を行なわないので、終端装置に依存しない。むしろ、アンテナ即ち同軸ケーブルを介して供給される信号が（受動的な動作で）単に再び放射し又は（能動的な動作で）補強して放射する純粋な受動的又は能動的な（即ち補強する）装置としてそれを使用できる。
【００１２】
本発明の実施の形態を以下説明する。
【発明を実施するための最良の形態】
【００１３】
図面は、例えばＬ字形に形成される建造物内の室(1)の断面平面図を示す。平面図で示すように、例えば地上で発射されるデジタル化番組放送の受信用ＤＶＢ−Ｔ受信機(5)が室内の位置(3)に設置される。受信用ＤＶＢ−Ｔ受信機(5)は、地上のデジタル化番組放送の受信に適する固有のアンテナ(7)を備える。
【００１４】
固有の事実に基づいて、設置場所での受信品質が最適でなくても、本発明による中継器(9)の使用により受信状態を改善できる。
【００１５】
例えば、中継器(9)は、同軸接続コンセント(11)に接続される。それは、固有の必要であれば一体化可能なアンテナ(13)を介して中継器(9)を使用してもよい。図示の実施の形態では、固有のネット接続ケーブル(15)を介してネット接続コンセントに電気的に接続される能動的な中継器として中継器(9)を構成できる。
【００１６】
接続コンセント(11)に接続された同軸ケーブル(19)を介して、詳細には図示しない外部アンテナ装置を介して、中継器(9)は、地上にて受信するデジタル化番組放送を受信でき、これを補強し、固有の一体化されたアンテナ(13)を介してそれを再び送信する。これにより、受信機の設置場所にて、受信品質を明らかに改善できる。
【００１７】
受動的な装置としても同様に良好に中継器(9)を構成できる。直接に又は付加的に（即ちインターフェースとしての接続コンセントを介さずに）電気的に同軸ケーブルにも中継器(9)を接続できる。この場合、埋め込みコンセント又は埋め込み室内に中継器(9)を収納できる。
【図面の簡単な説明】
【００１８】
【図１】本発明の拡張装置の使用状態を示す概略平面図
【符号の説明】
【００１９】
(1)・・室、  (3)・・位置、  (5)・・ＤＶＢ−Ｔ受信機、  (7)・・アンテナ、  (9)・・中継器、  (11)・・同軸接続コンセント、  (13)・・アンテナ、  (15)・・ネット接続ケーブル、  (17)・・ネット接続コンセント、  (19)・・同軸ケーブル、
【国際公開パンフレット】
2004528778.tif 000003
2004528778.tif 000004
2004528778.tif 000005
2004528778.tif 000006
2004528778.tif 000007
2004528778.tif 000008
2004528778.tif 000009
2004528778.tif 000010
2004528778.tif 000011
【手続補正書】
【提出日】平成15年5月20日(2003.5.20)
【手続補正１】
【補正対象書類名】特許請求の範囲
【補正対象項目名】全文
【補正方法】変更
【補正の内容】
【特許請求の範囲】
【請求項１】
室内中継器(9)を装置に設け、
室内中継器(9)により、中継器−アンテナ装置(13)を介して受信し及び／又はそれに供給するデジタル化された信号を放射し又は放射されるＤＶＢ−Ｔ受信機との使用に適するアンテナ装置を含む装置において、
室内中継器(9)は、同軸インターフェース又は同軸ケーブルへの接続用手段を含み、
それにより同軸インターフェース又は同軸ケーブルを介して供給される送信信号を放射可能である個別のアンテナ装置を含むことを特徴とする装置。
【請求項２】
中継器(9)は、受動的に動作する請求項１に記載の拡張装置。
【請求項３】
中継器(9)は、補強した放射を発生させながら能動的に動作する請求項１に記載の拡張装置。
【請求項４】
中継器(9)は、床下に収納可能であり又は配置される請求項１〜３の何れか１項に記載の拡張装置。
【請求項５】
中継器(9)は、床上で接続可能である請求項１〜４の何れか１項に記載の拡張装置。
【請求項６】
中継器(9)は、取り付けモジュールとして、特にアンテナコンセント(11)に又は挿入モジュールとしてアンテナ側の同軸ケーブルに接続可能である請求項１〜５の何れか１項に記載の拡張装置。
【国際調査報告】
2004528778.tif 000012
2004528778.tif 000013
2004528778.tif 000014
2004528778.tif 000015
2004528778.tif 000016
2004528778.tif 000017